(57)【要約】【課題】所望の配光状態を維持し、照射むらを抑制できる照明装置を提供することを目的とする。【解決手段】本発明は、発光素子３２を光源とする光源部３と、前記発光素子３２から出射される光が外方に照射される照射開口部５１を有し、この照射開口部５１に向けて拡開するように内面側に反射面５２が形成された反射体５と、前記照射開口部５１を覆うとともに、少なくとも内面側における周縁部がブラスト処理された透光性のカバー６とを備える照明装置１である。【選択図】図１
2011222149.tif 000002
【特許請求の範囲】
【請求項１】
発光素子を光源とする光源部と；
前記発光素子から出射される光が外方に照射される照射開口部を有し、この照射開口部に向けて拡開するように内面側に反射面が形成された反射体と；
前記照射開口部を覆うとともに、少なくとも内面側における周縁部がブラスト処理された透光性のカバーと；
を具備することを特徴とする照明装置。
【発明の詳細な説明】
【技術分野】
【０００１】
本発明は、光源としてＬＥＤ等の発光素子を用いた照明装置に関する。
【背景技術】
【０００２】
劇場やホール等の舞台上には、演奏会等の音色を効果的に客席に伝えるため音響反射板が設けられている。音響反射板は、天井反射板、正面反射板及び側面反射板等からなり、音の反射を正確、かつ立体的に表現するように構成されており、不使用時には、格納されるようになっている。
【０００３】
この音響反射板の天井反射板には、演出空間の照明用として照明装置が埋め込み設置されており、その光源には、ハロゲン電球等のランプが用いられている（例えば、特許文献１参照）。
【０００４】
ところで、近時、省エネや長寿命を実現するため、この種、照明用の光源としてＬＥＤ等の発光素子を基板に複数実装して光源部を構成し、所定の光量を得るようにする照明装置が開発されている。この照明装置は、光源部から放射される光を反射板によって配光制御し、前面側に設けられたアクリル樹脂等からなる透明の保護カバーを介して外方に照射するものである。
【先行技術文献】
【特許文献】
【０００５】
【特許文献１】特許第３００３１８５号公報
【発明の概要】
【発明が解決しようとする課題】
【０００６】
しかしながら、このような照明装置においては、光源部から放射された光が保護カバーの内面側で反射し、これに起因して壁面等の照射面に意図しない照射むらが発生する場合がある。
本発明は、上記課題に基づきなされたもので、所望の配光状態を維持し、照射むらを抑制できる照明装置を提供することを目的とする。
【課題を解決するための手段】
【０００７】
請求項１に記載の照明装置は、発光素子を光源とする光源部と；前記発光素子から出射される光が外方に照射される照射開口部を有し、この照射開口部に向けて拡開するように内面側に反射面が形成された反射体と；前記照射開口部を覆うとともに、少なくとも内面側における周縁部がブラスト処理された透光性のカバーと；を具備することを特徴とする。
発光素子とは、ＬＥＤ等の固体発光素子である。また、発光素子の個数には特段制限はない。
【０００８】
少なくとも内面側における周縁部がブラスト処理された透光性のカバーとは、発光素子から出射される光がカバーの内表面で全反射し、全反射した光が、さらに、反射体の反射面に反射されて外方へ照射される現象を想定し、この全反射を抑制するためにブラスト処理を行うことを意味している。
照明装置は、舞台照明等の演出空間の照明用として適用するのが好適であるが、屋内又は屋外で使用される照明器具、ディスプレイ装置に適用できる。
【発明の効果】
【０００９】
請求項１に記載の発明によれば、簡単な構成で、照射むらを抑制し、所望の配光状態を維持することが可能な照明装置を提供することができる。
【図面の簡単な説明】
【００１０】
【図１】本発明の第１の実施形態に係る照明装置としての天井反射板ライトを示す斜視図である。
【図２】同天井反射板ライトを背面側から見た斜視図である。
【図３】同天井反射板ライトが天井反射板に設置された状態を示す側面図である。
【図４】同天井反射板ライトの概略的分解図である。
【図５】同光源部を示す斜視図である。
【図６】同カバーを示す側断面図及び上面図である。
【図７】比較例における配光状態及び照射面における照射状態を示す説明図である。
【図８】本発明の第２の実施形態に係るカバーを示す側断面図及び上面図である。
【発明を実施するための形態】
【００１１】
以下、本発明の第１の実施形態に係る照明装置について図１乃至図７を参照して説明する。なお、各図において同一部分には同一符号を付し重複した説明は省略する。
【００１２】
図１乃至図４において、照明装置として、天井反射板ライト１が示されている。この天井反射板ライト１は、舞台等の演出空間の照明に用いられ、音響反射板の天井反射板に埋め込み設置されるものである。天井反射板ライト１は、本体ケース２と、この本体ケース２内に収容された光源部３と、この光源部３と熱的に結合された放熱部材４と、反射体５と、この反射体５の前方に配設された透光性のカバー６と、前記光源部３に接続された図示しない点灯装置とを備えている。
【００１３】
本体ケース２は円筒状に形成されており、その内側には、同じく円筒状の内枠２１が配設されている（図４参照）。この内枠２１内には、光源部３、反射体５やカバー６が配設されるようになっている。また、内枠２１には、後述する支持金具９が軸支される軸受部材２２が取付けられている。
【００１４】
図５に代表して示すように、光源部３は、基板３１と、この基板３１に実装された複数の発光素子３２とから構成されている。基板３１には、各発光素子３２の放熱性を高めるうえで、アルミニウム等の熱伝導性が良好で放熱性に優れた金属材料をベース板として適用するのが好ましい。このような基板３１として、アルミニウム製のべース板の一面に絶縁層が積層された金属製のべース基板が用いられている。なお、ベース板の材料は、絶縁材とする場合には、セラミックス材料又はエポキシ樹脂等の合成樹脂材料を適用できる。
この基板３１の絶縁層上には、各発光素子３２を電気的に接続する配線パターンが形成されている。
【００１５】
なお、基板３１の両端側には配線パターンと接続された導電端子３３が設けられている。この導電端子３３は、両端側にそれぞれ１０個ずつ設けられており、リード線３４により点灯装置に接続され、点灯装置から各発光素子３２に電力が供給されて各発光素子３２が点灯制御されるようになっている。
【００１６】
基板３１の表面上には、複数の発光素子３２が略円形状をなすように配設されている。より詳しくは、１０００個以上の発光素子３２が１０個のブロックに分けられて配設されている。例えば、７個の発光素子３２が直列に接続された直列回路が並列に１４列接続されたブロック４つと、同様な直列回路が並列に１９列接続されたブロック４つと、同様な直列回路が並列に２０列接続されたブロック２つとで構成されている。
【００１７】
そして、各ブロックの正極側ライン及び負極側ラインが導電端子３３に接続されている。さらに、両側の各導電端子３３には、それぞれリード線３４が半田等によって接続され、図示上、左右１０本ずつのリード線３４が絶縁被覆材３５によって被覆され束ねられて導出されている。このリード線３４は、ベース板７の両側の切欠き部７１を経由して、放熱部材４における放熱フィン４１間の溝部４２に配設され収められて、放熱部材４の背面側（図２及び図３における図示上、上面側）へ導出され、さらに、放熱部材４の背面側に取付けられた集束ボックス８に集束されるようになっている。
【００１８】
複数の発光素子３２は、ＬＥＤのベアチップからなる。ＬＥＤのベアチップには、例えば、白色系の光を発光部で発光させるために、青色の光を発するものが用いられている。このＬＥＤのベアチップは、配線パターンが形成された基板３１の表面上に、シリコーン樹脂系の接着剤を用いて略円形状に並べられて接着されている。  枠部材３６は、ガラスエポキシ樹脂で略四角形状に形成され、基板３１上に接着されている。  
【００１９】
封止部材３７は、透光性合成樹脂、例えば、透明シリコーン樹脂製であり、枠部材３６の内側に充填されて基板３１上に設けられている。封止部材３７は、各発光素子３２及び各発光素子３２を接続するボンディングワイヤを封止している。
【００２０】
封止部材３７は、蛍光体を適量含有している。蛍光体は、発光素子３２が発する光で励起されて、発光素子３２が発する光の色とは異なる色の光を放射する。発光素子３２が青色光を発する本実施形態では、白色光を出射できるようにするために、蛍光体には青色の光とは補色の関係にある黄色系の光を放射する黄色蛍光体が使用されている。
【００２１】
このように構成された光源部３は、ベース板７を介して放熱部材４に熱的に結合されるように取付けられている。ベース板７は熱伝導が良好なアルミニウム材料によって円形板状に形成されていて、周縁部に対向して半円形状の切欠き部７１が形成されている。このベース板７に基板３１が、その背面側が密着するように取付ねじによって取付けられている。
【００２２】
図４に示すように、ベース板７は、固定部材７２を介して放熱部材４に取付けられるようになっている。しかし、直接放熱部材４に取付ける等、他の手段にて取付けるようにしてもよい。
【００２３】
放熱部材４は、熱伝導が良好な金属製であり、概略円筒状の外観をなしている。放熱部材４は、中央部から放射状に突出する多数の放熱フィン４１を有している。放熱フィン４１は、上面視、略フォーク状をなして、各放熱フィン４１間に鉛直方向の溝部４２を有し、対流を促進するとともに、表面積が増加されるようになっている（図２参照）。
【００２４】
反射体５は、アルミニウム材料で形成されており、図１及び図４に示すように、照射開口部５１を有し、光の照射方向に向かって拡開するように椀状に形成されていて、内周面が鏡面処理されて反射面５２をなし、反射率が高くなるように構成されている。具体的には、反射面５２は、放物線を回転させた回転放物面等の回転曲面体から構成されている。この反射体５によって発光素子３２から出射される光が反射され、所定の配光制御がなされる。
【００２５】
また、反射体５の前面側には、透明のアクリル樹脂によって形成された円形板状のカバー６が取付けられている。このカバー６は、図６に示すように、内面側の表面がブラスト処理されていて微小な凹凸が形成され、光沢がなくなるようになっている。
【００２６】
図３に示すように天井反射板ライト１は、天井反射板Ｃの埋め込み穴に挿入され、両側を、天井反射板Ｃに取付けられた支持金具９に支持され、天井反射板Ｃに固定される。点灯装置からリード線３４を介して光源部３に電力が供給されると、各発光素子３２が一斉に点灯し、光源部３は面状光源として使用できる。各発光素子３２から出射された光は、主としてカバー６を透過して外方へ照射される。また、一部の光は、反射体５に反射され、配光制御されてカバー６を透過して外方へ照射される。
【００２７】
一方、各発光素子３２から発生する熱は、基板３１の裏面側からベース板７へ伝わり、さらに、放熱部材４の放熱フィン４１へ伝導され効果的に放熱される。したがって、発光素子３２の温度上昇を抑制することが可能となる。
【００２８】
ここで、図７を参照して光源部３からの光の出射作用について詳述する。図７は、比較例として、カバーＣｖを透明のアクリル樹脂によって形成した場合、つまり、ブラスト処理を施していない場合を示す一例である。
【００２９】
基本的に、発光素子３２から直接カバーＣｖを透過して外方へ照射される光、及び反射体５の反射面５２に反射されてカバーＣｖを透過して外方へ照射される光は、反射体５の照射開口部５１の位置によって規定される遮光角θで配光制御される。したがって、図示上、壁面等の照射面におけるＡ点より下方が明るく照らされ、Ａ点より上方は遮光され照射されない。
【００３０】
しかしながら、発光素子３２から出射される光がカバーＣｖに入射する場合、例えば、図示上、Ｃ点に入射する場合、それが臨界角になり、発光素子３２から出射される光がカバーＣｖの内表面で全反射する場合がある。そして、この全反射した光は、さらに、反射面５２に反射されて外方へ照射される。この外方へ照射された光は、図示上、壁面等の照射面におけるＢ点に到達する。したがって、このような現象により、Ｂ点より上方が明るく照らされる場合がある。
【００３１】
この結果、照射面において、Ａ点より下方は明るく照射され、また、Ｂ点より上方も明るく照らされ、中間のＡ点からＢ点の間は照射されない暗い影の状態を呈する。これらは、各点において明確な境界となって表われるわけではないが、各点を境に明暗となって表われ、照射面に照射むらが発生することとなる。
【００３２】
上記のような現象は、発光素子３２から出射される光の指向性が強いこと、反射面５２の曲面形状や長さ寸法等、種々の要因が関係して生じるものと考えられる。
【００３３】
本実施形態では、カバー６の内面側の表面がブラスト処理されている。したがって、例えば、図示上、Ｃ点に入射するような光は、その表面の微小な凹凸により、様々な角度に拡散し、全反射が抑制され、図示上、Ａ点より上方を照らす現象が抑制される。したがって、意図しない照射むらを抑制し、本来の所望の遮光角θで配光制御することが可能となる。
【００３４】
以上のように本実施形態によれば、カバー６の内面側をブラスト処理することにより、簡単な構成で、照射むらを抑制し、所望の配光状態を維持することが可能な天井反射板ライト１を提供することができる。
【００３５】
次に、本発明の第２の実施形態について図８を参照して説明する。図８は、カバー６ａを示している。このカバー６ａは、内面側における周縁部のみにブラスト処理を施したものである。この構成は、発光素子３２から出射される光が、カバー６ａの内面側で全反射することが想定される領域にブラスト処理を施したものである。したがって、ブラスト処理された領域に入射する光は、様々な角度に拡散し、全反射が抑制され、ブラスト処理されていない中央部からは直接光がカバー６ａを透過して外方へ照射される。
以上のように本実施形態によっても第１の実施形態と同様な効果を奏することができる。
【００３６】
なお、本発明は、上記各実施形態の構成に限定されることなく、発明の要旨を逸脱しない範囲で種々の変形が可能である。例えば、カバーに施されるブラスト処理は、内外面の両面に行ってもよい。また、内面側の全面に限らず、部分的に行ってもよい。
【００３７】
照明装置としては、舞台照明等の演出空間の照明用として適用するのが好適であるが、屋内又は屋外で使用される照明器具、ディスプレイ装置に適用可能である。
【符号の説明】
【００３８】
１・・・照明装置（天井反射板ライト）、３・・・光源部、５・・・反射体、
６、６ａ・・・カバー、３２・・・発光素子（ＬＥＤ）、５１・・・照射開口部、
５２・・・反射面
【図１】
2011222149.tif 000003
【図２】
2011222149.tif 000004
【図３】
2011222149.tif 000005
【図４】
2011222149.tif 000006
【図５】
2011222149.tif 000007
【図６】
2011222149.tif 000008
【図７】
2011222149.tif 000009
【図８】
2011222149.tif 000010